(57)【要約】【課題】従来のような専用工事や撤去工事を行うことなく、据付枠の壁に対する固定や位置の変更を容易に実現する。【解決手段】据付機構４は、壁埋込式空気調和機１を据え付けるための据付機構であって、空気調和機１を収容する据付枠５と、壁面に設けられた支持部材７０〜７２に対して据付枠５を固定する固定機構６とを備え、固定機構６は、据付枠５に対して移動可能に構成された固定部６１〜６４を有している。【選択図】図６
2010286191.tif 000002
【特許請求の範囲】
【請求項１】
壁埋込式空気調和機を据え付けるための据付機構であって、
前記空気調和機を収容する据付枠と、
前記壁面に設けられた支持部材に対して前記据付枠を固定する固定機構とを備え、
前記固定機構は、前記据付枠に対して移動可能に構成された固定部を有していることを特徴とする据付機構。
【請求項２】
前記固定機構は、同一方向または互いに反対方向に移動可能に構成された一対の第１固定部を有していることを特徴とする請求項１に記載の据付機構。
【請求項３】
前記固定機構は、前記一対の第１固定部の移動方向と垂直方向に移動可能に構成された第２固定部を有していることを特徴とする請求項２に記載の据付機構。
【請求項４】
室内側に露出した状態で壁面に埋設される壁埋込式空気調和機を据え付けるための据付機構であって、
前記壁面に略平行に設けられた一対の支持部材に対して固定可能に構成され且つ互いに略平行となるように配置される一対の第１固定板と、
前記第１固定板に対して固定可能に構成され且つ前記一対の第１固定板間において前記第１固定板に対して直交するように配置される一対の第２固定板とを備え、
前記一対の第２固定板が前記一対の第１の固定板に対して固定された状態において、前記空気調和機を収容する据付枠が、前記一対の第１の固定板及び前記一対の第２固定板によって形成されることを特徴とする据付機構。
【発明の詳細な説明】
【技術分野】
【０００１】
本発明は、壁内に壁埋込式空気調和機を据え付けるための据付機構に関する。
【背景技術】
【０００２】
壁埋込式空気調和機は、室内機本体の前面を室内側に露出させた状態で、室内機本体を壁の内部に埋設することにより据え付けられる（例えば、特許文献１参照）。この据え付けでは、壁の柱間に複数の柱間支柱を渡すと共に、これらの柱間支柱を用いて、据付枠の壁に対する位置を決定するための専用工事を行い、決定後の位置で、据付枠が壁に固定される。そして、固定した据付枠の内部に、室内機本体が収容される。
【先行技術文献】
【特許文献】
【０００３】
【特許文献１】特開平９−７９６５７号公報
【発明の概要】
【発明が解決しようとする課題】
【０００４】
しかしながら、上述した室内機の据え付けでは、壁に対して据付枠を固定する際に、各柱間支柱を用いた専用工事が必要になる。また、壁に対して据付枠を一旦固定した後に、据付枠の位置を変更する必要が生じた場合、各柱間支柱を壁から撤去するための撤去工事が別途必要となる。したがって、これらの専用工事や撤去工事により、室内機の据付工数が増大するという問題があった。
【０００５】
本発明の目的は、従来のような専用工事や撤去工事を行うことなく、据付枠の壁に対する固定や位置の変更を容易に実現可能な据付機構を提供することである。
【課題を解決するための手段】
【０００６】
第１の発明に係る据付機構は、壁埋込式空気調和機を据え付けるための据付機構であって、空気調和機を収容する据付枠と、壁面に設けられた支持部材に対して据付枠を固定する固定機構とを備え、固定機構は、据付枠に対して移動可能に構成された固定部を有している。
【０００７】
この据付機構では、壁面に設けられた支持部材に対して据付枠を固定するための固定機構が、据付枠に対して移動可能に構成された固定部を有している。よって、空気調和機を収容する据付枠の位置をどのような位置に決定しても、固定部を据付枠に対して移動させることにより、従来のように各柱間支柱を用いた専用工事を行うことなく、決定後の位置で据付枠を支持部材に対して容易に固定することができる。また、支持部材に対して据付枠を一旦固定した後に、据付枠の位置を変更する必要が生じても、固定部を据付枠に対して移動させることにより、従来のように各柱間支柱の撤去工事を行うことなく、据付枠の位置を容易に変更することができる。
【０００８】
第２の発明に係る据付機構は、第１の発明に係る据付機構において、固定機構は、同一方向または互いに反対方向に移動可能に構成された一対の第１固定部を有している
【０００９】
この据付機構では、一対の第１固定部が、同一方向または互いに反対方向に移動可能であるため、据付枠の支持部材に対する左右方向あるいは上下方向の位置を容易に決定できる。
【００１０】
第３の発明に係る据付機構は、第２の発明に係る据付機構において、固定機構は、一対の第１固定部の移動方向と垂直方向に移動可能に構成された第２固定部を有している。
【００１１】
この据付機構では、第２固定部が、一対の第１固定部の移動方向と垂直方向（上下方向あるいは左右方向）に移動可能であるため、据付枠を支持部材に対して、より強固に固定できる。
【００１２】
第４の発明に係る据付機構は、室内側に露出した状態で壁面に埋設される壁埋込式空気調和機を据え付けるための据付機構であって、壁面に略平行に設けられた一対の支持部材に対して固定可能に構成され且つ互いに略平行となるように配置される一対の第１固定板と、第１固定板に対して固定可能に構成され且つ一対の第１固定板間において第１固定板に対して直交するように配置される一対の第２固定板とを備え、一対の第２固定板が前記一対の第１の固定板に対して固定された状態において、空気調和機を収容する据付枠が、一対の第１の固定板及び一対の第２固定板によって形成される。
【００１３】
この据付機構では、一対の第１固定板を、壁面に略平行に設けられた一対の支持部材に対して互いに略平行となるように配置することにより、据付枠の支持部材に対する左右あるいは上下方向の位置を任意に決定できると共に、一対の第２固定板を、第１固定板に対して固定可能に構成し且つ一対の第１固定板間において第１固定板に対して直交するように配置することにより、据付枠の支持部材に対する上下あるいは左右方向の位置を任意に決定可能である。よって、空気調和機を収容する据付枠の位置をどのような位置に決定しても、従来のような各柱間支柱を用いた専用工事を行うことなく、決定後の位置で据付枠を支持部材に対して容易に固定することができる。また、支持部材に対して据付枠を一旦固定した後に、据付枠の位置を変更する必要が生じても、一対の第１の固定板及び一対の第２固定板の配置を変更することにより、従来のような各柱間支柱の撤去工事を行うことなく、据付枠の位置を容易に変更することができる。さらに、据付枠の組立工程と位置決め工程とを同時に実現できるので、組立工程や位置決め工程を個別に行う場合と比べて、その作業性を簡略化できる。
【発明の効果】
【００１４】
以上の説明に述べたように、本発明によれば、以下の効果が得られる。
【００１５】
第１の発明では、壁面に設けられた支持部材に対して据付枠を固定するための固定機構が、据付枠に対して移動可能に構成された固定部を有している。よって、空気調和機を収容する据付枠の位置をどのような位置に決定しても、固定部を据付枠に対して移動させることにより、従来のように各柱間支柱を用いた専用工事を行うことなく、決定後の位置で据付枠を支持部材に対して容易に固定することができる。また、支持部材に対して据付枠を一旦固定した後に、据付枠の位置を変更する必要が生じても、固定部を据付枠に対して移動させることにより、従来のように各柱間支柱の撤去工事を行うことなく、据付枠の位置を容易に変更することができる。
【００１６】
また、第２の発明では、一対の第１固定部が、同一方向または互いに反対方向に移動可能であるため、据付枠の支持部材に対する左右方向あるいは上下方向の位置を容易に決定できる。
【００１７】
また、第３の発明では、第２固定部が、一対の第１固定部の移動方向と垂直方向（上下方向あるいは左右方向）に移動可能であるため、据付枠を支持部材に対して、より強固に固定できる。
【００１８】
また、第４の発明では、一対の第１固定板を、壁面に略平行に設けられた一対の支持部材に対して互いに略平行となるように配置することにより、据付枠の支持部材に対する左右あるいは上下方向の位置を任意に決定できると共に、一対の第２固定板を、第１固定板に対して固定可能に構成し且つ一対の第１固定板間において第１固定板に対して直交するように配置することにより、据付枠の支持部材に対する上下あるいは左右方向の位置を任意に決定可能である。よって、空気調和機を収容する据付枠の位置をどのような位置に決定しても、従来のような各柱間支柱を用いた専用工事を行うことなく、決定後の位置で据付枠を支持部材に対して容易に固定することができる。また、支持部材に対して据付枠を一旦固定した後に、据付枠の位置を変更する必要が生じても、一対の第１の固定板及び一対の第２固定板の配置を変更することにより、従来のような各柱間支柱の撤去工事を行うことなく、据付枠の位置を容易に変更することができる。さらに、据付枠の組立工程と位置決め工程とを同時に実現できるので、組立工程や位置決め工程を個別に行う場合と比べて、その作業性を簡略化できる。
【図面の簡単な説明】
【００１９】
【図１】本発明の第１実施形態に係る据付機構を用いて壁埋込型空気調和機を壁の内部に設置する前の状態を示した分解斜視図である。
【図２】図１に示した据付機構の斜視図である。
【図３】据付機構の下面視図である。
【図４】据付機構の上面視図である。
【図５】据付機構の右面視図である。
【図６】空気調和機を収容した据付枠が壁内に設置された状態を示す正面視図である。
【図７】図６に示したＡ−Ａ線の矢視断面図である。
【図８】本発明の第２実施形態に係る据付機構を示した斜視図である。
【図９】据付機構の下面視図である。
【図１０】据付機構の上面視図である。
【図１１】据付機構の右面視図である。
【図１２】空気調和機を収容した据付枠が壁内に設置された状態を示す正面視図である。
【図１３】本発明の第３実施形態に係る据付機構を示した斜視図である。
【図１４】据付機構の組立工程と、据付枠の右側柱及び左側柱に対する位置決め工程との一例を示した斜視図である。
【図１５】据付機構の変形例を示した正面視図である。
【図１６】据付機構の変形例を示した正面視図である。
【図１７】据付機構の変形例を示した正面視図である。
【発明を実施するための形態】
【００２０】
（第１実施形態）
図１は、本発明の第１実施形態に係る据付機構４を用いて壁埋込型空気調和機１（以下、空気調和機１と略記する）を壁７の内部に対して設置する前の状態を示した分解斜視図である。図２は、図１に示した据付機構の斜視図である。図３〜図５は、据付機構の下面視図、上面視図及び右面視図である。図６は、空気調和機を収容した据付枠が壁内に設置された状態を示す正面視図である。図７は、図６に示したＡ−Ａ線の矢視断面図である。図１に示すように、空気調和機１は、本体２と前面グリル３とを有している。また、壁７には、空気調和機１の本体２や据付機構４の受台となる梁７０（支持部材）と、この梁７０の両端に立設され且つ互いに平行に配置された右側柱７１及び左側柱７２（支持部材）とによって取り囲まれた設置空間７３が確保されており、この設置空間７３に据付機構４を設置可能な構成となっている。
【００２１】
[据付機構の構成]
図１に示すように、据付機構４は、据付枠５と固定機構６とを有している。図２に示すように、この据付枠５は、下側に配置された長方形状の下側板５１と、この下側板５１の右側及び左側にそれぞれ配置された台形状の右側板５２及び左側板５３と、右側板５２及び左側板５３の上側に架設された長方形状の上側板５４とを有している。図２に示すように、下側板５１、右側板５２、左側板５３及び上側板５４は略同じ厚みを有しており、据付枠５は、これらの板により取り囲まれた枠体として構成されており、その内部には収容空間５５が形成されている。この収容空間５５の高さ寸法Ａは、図１に示した空気調和機１の本体２の高さ寸法よりも大きく確保されている。また、収容空間５５の幅寸法Ｂは、図１に示した壁７の設置空間７３の幅寸法Ｄよりも小さく且つ本体２の幅寸法よりも大きく確保されている。さらに、収容空間５５の奥行き寸法Ｃは、設置空間７３の奥行き寸法Ｃと同一であると共に、本体２の奥行き寸法と略同一となっている。これにより、この本体２を収容空間５５に対して収容可能な構成となっている。
【００２２】
図２に示すように、固定機構６は、互いに反対方向に移動可能に構成された一対の右側板状部材６１及び左側板状部材６２（一対の固定部）と、一対の右側板状部材６１及び左側板状部材６２の移動方向と垂直方向に移動可能に構成された一対の右側板状部材６３及び左側板状部材６４（一対の固定部）とを有している。図２に示すように、右側板状部材６１及び左側板状部材６２は、各先端部分を上側板５４と反対側に略直角に折り込むことによりＬ字状の部材として形成されている。また、右側板状部材６１及び左側板状部材６２は、それぞれ、ボルト部材やナット部材等の締結部材を用いて上側板５４の右側近傍及び左側近傍に固定されている。図４に示すように、右側板状部材６１及び左側板状部材６２の奥行き方向の略中央部分には、略長方形状の各貫通穴６１ａ、６２ａが形成されている。図４に示すように、各貫通穴６１ａ、６２ａは所定の幅寸法Ｗ１を有しており、上側板５４に形成した各貫通穴（図示せず）との位置を合わせた状態でボルト部材を挿入可能な構成となっている。
【００２３】
また、図２に示すように、右側板状部材６１及び左側板状部材６２の各先端部分には、各先端部分を右側柱７１及び左側柱７２に対して固定するための貫通穴６１ｂ、６２ｂが形成されている。このような構成によれば、図６に示すように、右側板状部材６１及び左側板状部材６２を、設置空間７３の内部で上側板５４に対して互いに反対方向に距離Ｗ１の範囲内を摺動させることにより、設置空間７３の幅寸法Ｄに応じて、据付枠５の右側柱７１及び左側柱７２に対する左右方向の各位置を任意に決定できると共に、決定後の位置で、右側板状部材６１及び左側板状部材６２を右側柱７１及び左側柱７２に対して着脱可能な状態で固定可能となっている。なお、このような右側柱７１及び左側柱７２に対する固定は、図６に示すように、貫通穴６１ｂ、６２ｂ（図２参照）にボルト部材を挿入することにより行われる。
【００２４】
図２に示すように、右側板状部材６３及び左側板状部材６４は、各先端部分を右側板５２及び左側板５３と反対側に向けて略直角に折り込むことによりＬ字状の部材として形成されている。また、右側板状部材６３及び左側板状部材６４は、それぞれ、ボルト部材やナット部材等の締結部材を用いて右側板５２及び左側板５３の下側近傍に固定されている。図５に示すように、右側板状部材６３の奥行き方向の略中央部分には、略長方形状の貫通穴６３ａが上下方向に延在するように形成されている。図５に示すように、貫通穴６３ａは所定の高さ寸法Ｗ２を有しており、右側板５２に形成した各貫通穴（図示せず）との位置を合わせた状態でボルト部材を挿入可能な構成となっている。なお、図５では図示を省略したが、左側板状部材６４にも同様の貫通穴６４ａが形成されている。
【００２５】
また、図３に示すように、右側板状部材６３及び左側板状部材６４の各先端部分には、これらの先端部分を梁７０に対して固定するための貫通穴６３ｂ、６４ｂが形成されている。このような構成によれば、図６に示すように、右側板状部材６３及び左側板状部材６４を、設置空間７３の内部で右側板５２及び左側板５３に対して上下方向に距離Ｗ２の範囲内を摺動させることにより、据付枠５の梁７０に対する上下方向の位置を任意に決定できると共に、決定後の位置で、右側板状部材６３及び左側板状部材６４を梁７０に対して着脱可能な状態で固定可能となっている。なお、このような梁７０に対する固定は、図６に示すように、貫通穴６３ｂ、６４ｂ（図３参照）にボルト部材を挿入することにより行われる。
【００２６】
[空気調和機の構成]
図７に示すように、空気調和機１の本体２は、熱交換器収納部８、ファン収納部９、空気通路形成部１０、ドレンパン１１及び底板１２を有している。熱交換器収納部８は、その内部に熱交換器１３を収納する収納空間を有しており、その前面側には、上述した収納空間に連通する吹出口１４が形成されており、その背面側には、ファン収納部９が隣接して配置され、その下面側には、ドレンパン１１が配置されている。ファン収納部９は、少なくとも上面側に開口部を有しており、その内部にシロッコファン等のファン１５が収納されている。このファン１５の空気吐出口は、熱交換器収納部８の背面側から内部の収納空間へと直結されている。
【００２７】
空気通路形成部１０は、吸込口１６となる一側面が開口した略箱状の部材であり、熱交換器収納部８及びファン収納部９の上面を覆うように設けられ、その内部空間に空気通路１７が形成されている。この空気通路１７の一端は、前面側で吸込口１６に連通し、その他端はファン収納部９の上面に形成した開口部へ連通している。この空気通路１７には、背面側が前面側よりも高くなるように傾斜した状態で吸込口１６を覆う位置にエアフィルタ１８が配置されている。底板１２は、奥行き方向に沿って熱交換器収納部８及びファン収納部９の下面側近傍にまたがってそれぞれ設けられている。上記のような構造の本体２において、ファン１５を駆動すると、室内の空気は吸込口１６から吸込まれ、空気通路１７を通過してファン１５の空気取込口に達し、ファン１５の空気吐出口から室内の空気が熱交換器１３へと供給され、冷却または加熱された後に吹出口１４から室内へと吹き出される。
【００２８】
[本実施形態の据付機構の特徴]
本実施形態の据付機構４には、以下のような特徴がある。
【００２９】
本実施形態の据付機構４では、右側板状部材６１及び左側板状部材６２を据付枠５に対して互いに反対方向に摺動させることにより、据付枠５の壁７に対する位置、つまり、右側柱７１及び左側柱７２に対する左右方向の各位置を任意に決定できると共に、右側板状部材６３及び左側板状部材６４を据付枠５に対して上下方向に摺動させることにより、据付枠５の壁７に対する位置、つまり、梁７０に対する上下方向の位置を任意に決定できる。よって、空気調和機１を収容する据付枠５の位置をどのような位置に決定しても、従来のように各柱間支柱を用いた専用工事を行うことなく、決定後の位置で、据付枠５を、梁７０、右側柱７１及び左側柱７２に対して容易に固定することができる。
【００３０】
また、梁７０、右側柱７１及び左側柱７２に対して据付枠５を一旦固定した後に、据付枠５の位置を変更する必要が生じても、右側板状部材６１及び左側板状部材６２や、右側板状部材６３及び左側板状部材６４を据付枠５に対して移動させることにより、従来のように各柱間支柱の撤去工事を行うことなく、据付枠５の位置を容易に変更することができる。
【００３１】
また、本実施形態の据付機構４では、右側板状部材６１及び左側板状部材６２が互いに反対方向に移動可能であるため、据付枠５の右側柱７１及び左側柱７２に対する左右方向の位置を容易に決定できる。
【００３２】
また、本実施形態の据付機構４では、右側板状部材６３及び左側板状部材６４が上下方向に移動可能であるため、据付枠５の上下方向の位置を容易に決定できる。特に、襖（ふすま）の上に出っ張った長押（なげし）によって空気調和機１の吹出口１４からの風の吹き出しが遮られることを防ぐために、上下方向に長押（なげし）から離れた位置に対して据付枠５を配置できる点で有効である。
【００３３】
また、本実施形態の据付機構４では、右側板状部材６１及び左側板状部材６２、右側板状部材６３及び左側板状部材６４を用いて、据付枠５を梁７０、右側柱７１及び左側柱７２に対して固定することができるため、右側板状部材６１及び左側板状部材６２を用いて、据付枠５を右側柱７１や左側柱７２のみに固定する場合と比べて、より強固に据付枠５を固定できる。
【００３４】
（第２実施形態）
図８は、本発明の第２実施形態に係る据付機構を示した斜視図である。図９〜図１１は、それぞれ、据付機構の下面視図、上面視図及び右面視図である。図１２は、空気調和機を収容した据付枠が壁内に設置された状態を示す正面視図である。なお、この実施形態では、第１実施形態で説明した要素と同一の要素について同じ符号を付し、詳細な説明を省略する。
【００３５】
[据付機構の構成]
図８に示すように、据付機構１０４は、据付枠１０５と固定機構１０６とを有している。この据付枠１０５は、下側に配置された長方形状の下側板１５１と、この下側板１５１の右側及び左側にそれぞれ配置された長方形状の右側板１５２及び左側板１５３と、右側板１５２及び左側板１５３の上側に架設された長方形状の上側板１５４とを有している。
【００３６】
据付枠１０５の内部には収容空間１５５が形成されている。この収容空間１５５の高さ寸法Ａは、図１に示した空気調和機１の本体２の高さ寸法よりも大きく確保されており、収容空間１５５の幅寸法Ｂは、設置空間７３の幅寸法Ｄ（図１参照）よりも小さく且つ本体２の幅寸法よりも大きく確保されており、収容空間１５５の奥行き寸法Ｃは、設置空間７３の奥行き寸法Ｃと同一であると共に、本体２の奥行き寸法と略同一となっている。これにより、この本体２を収容空間１５５に対して収容可能な構成となっている。
【００３７】
図８に示すように、固定機構１０６は、互いに反対方向に移動可能に構成された一対の右側板状部材１６１及び左側板状部材１６２（一対の固定部）と、互いに反対方向に移動可能に構成された一対の右側板状部材１６３及び左側板状部材１６４（一対の固定部）と、各板状部材１６１〜１６４の移動方向と垂直な方向に移動可能に構成された一対の右側板状部材１６５及び左側板状部材１６６（一対の固定部）とを有している。
【００３８】
図８に示すように、右側板状部材１６１及び左側板状部材１６２は、各先端部分を下側板１５１と反対側に略直角に折り込むことによりＬ字状の部材として形成されており、それぞれは、ボルト部材やナット部材等の締結部材を用いて上側板１５４の右側近傍及び左側近傍に固定されている。図１０に示すように、右側板状部材１６１及び左側板状部材１６２には、略長方形状を有する一対の貫通穴１６１ａ、１６２ａがそれぞれ形成されており、所定の幅寸法Ｗ３を有している。また、図１０に示すように、上側板１５４の右側及び左側には、奥行き方向の略中央部分において、一対の貫通穴１５４ａ、１５４ｂがそれぞれ形成されており、貫通穴１６１ａ、１６２ａと共にボルト部材を挿入可能な構成となっている。
【００３９】
また、図１０に示すように、右側板状部材１６１及び左側板状部材１６２の各先端部分には、各先端部分を右側柱７１及び左側柱７２に対してそれぞれ固定するための貫通穴１６１ｂ、１６２ｂが形成されている。このような構成によれば、図１２に示すように、右側板状部材１６１及び左側板状部材１６２を、設置空間７３の内部で上側板１５４に対して互いに反対方向に距離Ｗ３の範囲内を摺動させることにより、設置空間７３の幅寸法Ｄに応じて、据付枠１０５の右側柱７１及び左側柱７２に対する左右方向の各位置を任意に決定できると共に、決定後の位置で、右側板状部材１６１及び左側板状部材１６２を右側柱７１及び左側柱７２に対して固定可能である。なお、右側柱７１及び左側柱７２に対する固定は、貫通穴１６１ｂ、１６２ｂ（図１０参照）にボルト部材を挿入することにより行われる。
【００４０】
図８に示すように、右側板状部材１６３及び左側板状部材１６４は、各先端部分を上側板１５４と反対側に略直角に折り込むことによりＬ字状の部材として形成されている。そして、右側板状部材１６３及び左側板状部材１６４は、それぞれ、ボルト部材やナット部材等の締結部材を用いて下側板１５１の右側近傍及び左側近傍に固定されている。図９に示すように、右側板状部材１６３及び左側板状部材１６４には、前側近傍及び後側近傍において略長方形状を有する一対の貫通穴１６３ａ、１６４ａが形成されている。図９に示すように、各貫通穴１６３ａ、１６４ａは、奥行き方向に沿って所定間隔をおいて形成されており、所定の幅寸法Ｗ３を有している。また、図９に示すように、一対の貫通穴１６３ａ、１６４ａ間の中央部分には、矩形状の切り欠き部１６３ｃ、１６４ｃがそれぞれ形成されており、各切り欠き部１６３ｃ、１６４ｃには、右側板状部材１６５及び左側板状部材１６６が上下方向に沿って挿入されている。
【００４１】
また、図９に示すように、下側板１５１の右側及び左側には、奥行き方向の略中央部分において、一対の貫通穴１５１ａ、１５１ｂがそれぞれ形成されており、貫通穴１６３ａ、１６４ａと共にボルト部材を挿入可能な構成となっている。このような構成によれば、貫通穴１６３ａ、１６４ａと、貫通穴１５１ａ、１５１ｂとの各位置を合わせた状態で、図１２に示すように、右側板状部材１６３及び左側板状部材１６４を、設置空間７３の内部で下側板１５１に対して互いに反対方向に距離Ｗ３の範囲内を摺動させることにより、設置空間７３の幅寸法Ｄに応じて、据付枠１０５の右側柱７１及び左側柱７２に対する左右方向の各位置を任意に決定できると共に、決定後の位置で、右側板状部材１６３及び左側板状部材１６４を右側柱７１及び左側柱７２に対して着脱可能な状態で固定可能となっている。なお、このような右側柱７１及び左側柱７２に対する固定は、貫通穴１６３ｂ、１６４ｂ（図９参照）にボルト部材を挿入することにより行われる。
【００４２】
図８に示すように、右側板状部材１６５及び左側板状部材１６６は、それぞれ、上述した切り欠き部１６３ｃ、１６４ｃ（図９参照）に対して上下方向に挿入された状態で、右側板１５２及び左側板１５３の下側近傍に固定されている。なお、右側板状部材１６５及び左側板状部材１６６は、互いに同一形状であるため、ここでは、右側板状部材１６５の構成についてのみ説明する。図８に示すように、右側板状部材１６５は、先端部分を右側板１５２と反対側に略直角に折り込むことによりＬ字状の部材として形成されている。また、図８に示すように、右側板状部材１６５は、略長方形状を有する一対の貫通穴１６５ａを有している。この貫通穴１６５ａは、奥行き方向に沿って所定間隔をおいて形成されており、所定の高さ寸法Ｗ４を有している。
【００４３】
また、図８及び図１１に示すように、右側板１５２の下側近傍には、奥行き方向の略中央部分において、一対の貫通穴１５２ａが形成されており、貫通穴１６５ａと共にボルト部材を挿入可能な構成となっている。また、図８及び図９に示すように、右側板状部材１６５の先端部分には、先端部分を梁７０に対して固定するための貫通穴１６５ｂが形成されている。このような構成によれば、貫通穴１６５ａと貫通穴１５２ａとの位置を合わせた状態で、図１２に示すように、右側板状部材１６５を、右側板１５２に対して上下方向に距離Ｗ４の範囲内を摺動させることにより、据付枠１０５の梁７０に対する上下方向の位置を任意に決定できると共に、決定後の位置で、右側板状部材１６５を右側板１５２に対して固定可能な構成となっている。
【００４４】
[本実施形態の据付機構の特徴]
本実施形態の据付機構１０４には、以下のような特徴がある。
【００４５】
本実施形態の据付機構１０４では、右側板状部材１６１、１６３及び左側板状部材１６２、１６４を互いに反対方向に摺動させることにより、据付枠１０５の右側柱７１及び左側柱７２に対する左右方向の各位置を任意に決定できると共に、右側板状部材１６５及び左側板状部材１６６を上下方向に摺動させることにより、据付枠１０５の梁７０に対する上下方向の位置を任意に決定できるので、第１実施形態の据付機構４と同様の効果を得ることができる。
【００４６】
また、本実施形態の据付機構１０４では、右側板状部材１６１、１６３及び左側板状部材１６２、１６４を用いて据付枠１０５を右側柱７１及び左側柱７２に対して固定できるので、右側板状部材１６１及び左側板状部材１６２のみを用いて固定した場合や、右側板状部材１６３及び左側板状部材１６４のみを用いて固定した場合と比べて、より強固に据付枠１０５を右側柱７１及び左側柱７２に対して固定できる。
【００４７】
（第３実施形態）
図１３は、本発明の第３実施形態に係る据付機構を示した斜視図である。なお、第１実施形態で説明した要素と同一の要素については、同じ符号を付し、詳細な説明を省略する。
【００４８】
[据付機構の構成]
図１３に示すように、据付機構２０４は、上下方向に所定の間隔をおいて略平行に配置された一対の下側板２５１及び上側板２５２（第１固定板）と、一対の下側板２５１及び上側板２５２の間に所定の間隔をおいて、下側板２５１及び上側板２５２に対して直交するように配置された一対の右側板２５３及び左側板２５４（第２固定板）とを有している。図１３に示すように、下側板２５１、上側板２５２、右側板２５３及び左側板２５４は略同じ厚みを有しており、下側板２５１及び上側板２５２、右側板２５３及び左側板２５４は、それぞれ同一の形状を有している。そして、図１３に示すように、これらの板により取り囲むことにより据付枠２５５が形成されている。下側板２５１及び上側板２５２の奥行き寸法Ｃ及び幅寸法Ｄは、図１に示した壁７の設置空間７３の奥行き寸法Ｃ及び幅寸法Ｄと同一となっている。
【００４９】
また、右側板２５３及び左側板２５４の各高さ寸法Ａは、図１に示した空気調和機１の本体２の高さ寸法よりも大きく確保されており、右側板２５３及び左側板２５４間の左右方向の距離Ｂは、本体２の幅寸法よりも大きく確保されている。さらに、右側板２５３及び左側板２５４の各奥行き寸法Ｃは、設置空間７３の奥行き寸法Ｃと同一であると共に、本体２の奥行き寸法と略同一となっている。これにより、この本体２を据付枠２５５に対して収容可能な構成となっている。
【００５０】
図１３に示すように、下側板２５１の右側及び左側には、ぞれぞれ、奥行き方向の略中央部において、長方形状の貫通穴２５１ａ、２５１ｂが形成されている。また、下側板２５１の右側端部及び左側端部は、上側板２５２側に略直角に折り込まれており、これらの端部には左右方向に貫通する一対の貫通穴２５１ｃ、２５１ｄが形成されている。なお、上側板２５２についても下側板２５１と同様の貫通穴２５２ａ〜２５２ｄが形成されている。
【００５１】
[据付機構の組立工程及び据付枠の位置決め工程]
図１４は、据付機構２０４の組立工程と、据付枠２５５の右側柱７１及び左側柱７２（支持部材）に対する位置決め工程との一例を示した斜視図である。この例では、最初に、据付枠２５５の右側柱７１及び左側柱７２に対する上下方向の位置決めを行う。このような位置決めは、図１４（ａ）に示すように、下側板２５１及び上側板２５２を、右側柱７１と左側柱７２との間に、右側板２５３及び左側板２５４の各高さ寸法Ａだけ間隔をおいて平行に配置し、このように配置した下側板２５１及び上側板２５２を上下方向に沿って移動させることにより据付枠２５５の右側柱７１及び左側柱７２に対する上下方向の位置を決定する。
【００５２】
そして、決定後の位置で、下側板２５１及び上側板２５２の右側端部及び左側端部のそれぞれを右側柱７１及び左側柱７２に対して固定する。なお、このような右側柱７１及び左側柱７２に対する固定は、下側板２５１の右側端部及び左側端部にそれぞれ形成した貫通穴２５１ｃ、２５１ｄ（図１３参照）や、上側板２５２の右側端部及び左側端部にそれぞれ形成した貫通穴２５２ｃ、２５２ｄ（図１３参照）にボルト部材を挿入することにより行う。
【００５３】
次に、据付枠２５５の右側柱７１及び左側柱７２に対する左右方向の位置決めを行う。このような位置決めは、図１４（ｂ）に示すように、右側板２５３及び左側板２５４を下側板２５１及び上側板２５２の間において、下側板２５１及び上側板２５２に対して垂直に配置し、このように配置した右側板２５３及び左側板２５４を左右方向に沿って移動させることにより据付枠２５５の右側柱７１及び左側柱７２に対する左右方向の位置を決定する。そして、決定後の位置で、右側板２５３及び左側板２５４を下側板２５１及び上側板２５２に対して固定する。
【００５４】
なお、このような右側板２５３及び左側板２５４の移動や固定は、以下の各工程（i）〜（iv）、すなわち、（i）右側板２５３の上下端部に形成した各ボルト部材（図示せず）のそれぞれを、下側板２５１に形成した貫通穴２５１ａ（図１３参照）と、上側板２５２に形成した貫通穴２５２ａ（図１３参照）とに挿入する工程、（ii）左側板２５４の上下端部に形成した各ボルト部材（図示せず）のそれぞれを、下側板２５１に形成した貫通穴２５１ｂ（図１３参照）と、上側板２５２に形成した貫通穴２５２ｂ（図１３参照）とに挿入する工程、（iii）下側板２５１及び上側板２５２に対して垂直に配置した右側板２５３及び左側板２５４を左右方向に沿って移動させる工程、（iv）当該移動後の位置で、右側板２５３及び左側板２５４の上下端部に形成した各ボルト部材に対してナット部材を締結する工程、を順次行うことにより実現される。
【００５５】
[本実施形態の据付機構の特徴]
本実施形態の据付機構２０４には、以下のような特徴がある。
【００５６】
本実施形態の据付機構２０４では、下側板２５１及び上側板２５２を右側柱７１及び左側柱７２に対して略平行に配置することにより、据付枠２５５の右側柱７１及び左側柱７２に対する上下方向の位置を任意に決定できると共に、右側板２５３及び左側板２５４を下側板２５１及び上側板２５２間に、下側板２５１及び上側板２５２に対して直交するように配置すると共に右側板２５３及び左側板２５４を左右方向に沿って移動させることにより据付枠２５５の右側柱７１及び左側柱７２に対する左右方向の位置を任意に決定できるので、第１実施形態の据付機構４と同様の効果を得ることができる。
【００５７】
また、据付枠２５５の組立工程と右側柱７１及び左側柱７２に対する位置決め工程とを同時に実現できるので、これらの組立工程や位置決め工程に伴う各作業を個別に行う場合と比べて、その作業性を簡略化できる。
【００５８】
以上、本発明の実施形態について図面に基づいて説明したが、具体的な構成は、これらの実施形態に限定されるものでない。本発明の範囲は、上記した実施形態の説明だけではなく特許請求の範囲によって示され、さらに特許請求の範囲と均等の意味および範囲内でのすべての変更が含まれる。
【００５９】
なお、上述した第１実施形態では、図６に示すように、右側板状部材６３及び左側板状部材６４を右側板５２及び左側板５３の下側近傍に配置すると共に、これらの板状部材を上下方向に摺動させることにより、据付枠５の梁７０に対する上下方向の位置を任意に決定する例について述べたが、本発明はかかる実施形態に限定されるものではない。図１５に示すように、右側板状部材６３及び左側板状部材６４に代えて、右側板状部材６１及び左側板状部材６２と同一形状を有する一対の板状部材を下側板５１の右側近傍及び左側近傍に配置すると共に、左右方向に摺動させることにより、据付枠５の右側柱７１及び左側柱７２に対する左右方向の位置を任意に決定してもよい。
【００６０】
また、図１６に示すように、右側柱７１と左側柱７２との間に梁７０と平行に梁７４が架設されているような場合、右側板状部材６３及び左側板状部材６４と同様の板状部材を左側板５２及び左側板５３の各上側近傍に配置すると共に、各板状部材を上下方向に摺動させることにより、据付枠５の梁７４に対する上下方向の位置を任意に決定してもよい。また、図１６に示すように、右側板状部材６１と同様の板状部材を下側板５１の右側近傍に配置すると共に、この板状部材を左右方向に摺動させることにより、据付枠５の右側柱７１に対する左右方向の位置を任意に決定してもよい。
【００６１】
なお、上述した第３実施形態では、下側板２５１及び上側板２５２を上下方向に沿って移動させることにより、据付枠２５５の上下方向の位置を決定すると共に、右側板２５３及び左側板２５４を左右方向に沿って移動させることにより、据付枠２５５の左右方向の位置を決定する例について述べたが、本発明はかかる実施形態に限定されるものではない。図１７に示すように、右側柱７１と左側柱７２との間に梁７０と平行に梁７４が架設されているような場合、右側板３５１及び左側板３５２を左右に移動させることにより、据付枠３５５の左右方向の位置を決定すると共に、下側板３５３及び上側板３５４を上下方向に沿って移動させることにより、据付枠３５５の上下方向の位置を決定してもよい。
【００６２】
なお、上述した第１〜第３実施形態では、各板状部材の各貫通穴を略長方形状に形成する例について述べたが、本発明はかかる実施形態に限定されるものではない。各貫通穴は略長方形状以外にも例えば楕円形状等、任意の形状に形成可能である。
【符号の説明】
【００６３】
１  壁埋込式空気調和機
４、１０４、２０４  据付機構
５、１０５、２５５  据付枠
６、１０６  固定機構
６１、１６１、１６３  右側板状部材（固定部）
６２、１６２、１６４  左側板状部材（固定部）
６３、１６５  右側板状部材（固定部）
６４、１６６  左側板状部材（固定部）
７０  梁（支持部材）
７１  右側柱（支持部材）
７２  左側柱（支持部材）
２５１  下側板（第１固定板）
２５２  上側板（第１固定板）
２５３  右側板（第２固定板）
２５４  左側板（第２固定板）
【図１】
2010286191.tif 000003
【図２】
2010286191.tif 000004
【図３】
2010286191.tif 000005
【図４】
2010286191.tif 000006
【図５】
2010286191.tif 000007
【図６】
2010286191.tif 000008
【図７】
2010286191.tif 000009
【図８】
2010286191.tif 000010
【図９】
2010286191.tif 000011
【図１０】
2010286191.tif 000012
【図１１】
2010286191.tif 000013
【図１２】
2010286191.tif 000014
【図１３】
2010286191.tif 000015
【図１４】
2010286191.tif 000016
【図１５】
2010286191.tif 000017
【図１６】
2010286191.tif 000018
【図１７】
2010286191.tif 000019